(57)【要約】【課題】自動車用部品において、シーラ部材を使用して、接着強度とシール性を向上させる金属部材と合成樹脂部材を接合する接合構造を提供する。【解決手段】自動車用部品の金属部材４と合成樹脂部材１０を接合する接合構造において、合成樹脂部材１０の金属部材４と当接する当接面１１には、金属インサート１３を略全周に亘り埋設する。金属インサート１３は合成樹脂部材の当接面１１から端面が露出し、金属インサート１３の露出面と金属部材４との間にシーラ部材１２を塗布し、金属インサート１３が埋設された部分からボルト１４を金属部材４にねじ込んで金属部材４と合成樹脂部材１０を接合する接合構造である。【選択図】図５
2013061006.tif 000002
【特許請求の範囲】
【請求項１】
自動車用部品の金属部材と合成樹脂部材を接合する接合構造において、
上記合成樹脂部材の上記金属部材と当接する当接面には、金属インサートを略全周に亘り埋設し、該金属インサートは上記合成樹脂部材の当接面から端面が露出し、上記金属インサートの露出面と上記金属部材との間にシーラ部材を塗布し、上記金属インサートが埋設された部分からボルトを上記金属部材にねじ込んで上記金属部材と合成樹脂部材を接合する接合構造。
【請求項２】
上記金属インサートは、上記合成樹脂部材の上記当接面に全周に連続して埋設された請求項１に記載の金属部材と合成樹脂部材を接合する接合構造。
【請求項３】
上記金属インサートは、上記合成樹脂部材の上記当接面に複数の切断された短片を、全周亘り間隔をおいて埋設された請求項１に記載の金属部材と合成樹脂部材を接合する接合構造。
【請求項４】
上記金属部材は、エンジンのシリンダブロック及びシリンダヘッドであり、上記合成樹脂部材はタイミングチェーンカバー又はオイルパンである請求項１乃至３のいずれか一項に記載の金属部材と合成樹脂部材を接合する接合構造。
【請求項５】
上記金属インサートは、表面が凹凸、シボ模様、酸化被膜処理又は発泡状態である請求項１乃至４のいずれか一項に記載の金属部材と合成樹脂部材を接合する接合構造。
【請求項６】
上記金属インサートは、上記合成樹脂部材の当接面に露出した部分よりも、上記合成樹脂部材に埋設された部分が大きい請求項１乃至５のいずれか一項に記載の金属部材と合成樹脂部材を接合する接合構造。
【請求項７】
上記金属インサートの上記合成樹脂部材に埋設された表面に接着剤層が形成された請求項１乃至６のいずれか一項に記載の金属部材と合成樹脂部材を接合する接合構造。
【請求項８】
上記金属部材及び金属インサートは、アルミニウム製、鉄製又はステンレススチール製であり、上記合成樹脂部材はエンジニアリングプラスチック製であり、上記シーラ部材は、シリコーンゴム系のペースト状である請求項１乃至７のいずれか一項に記載の金属部材と合成樹脂部材を接合する接合構造。
【発明の詳細な説明】
【技術分野】
【０００１】
本発明は、自動車用部品において、シーラ部材を用いて、金属部材と合成樹脂部材を接合する接合構造に関するものである。例えば、自動車のエンジン本体とタイミングチェーンカバー及びオイルパンとの接合等に使用される接合構造に関するものである。
【背景技術】
【０００２】
従来、自動車のエンジンにおいて、エンジン本体とタイミングチェーンカバーの接合や、エンジン本体とオイルパンの接合等において、耐熱性を有するとともに、接合強度を向上させ、シール性を確保するために、それらの間に所定の肉厚を有するシーラ部材を使用している。
【０００３】
従来、このタイミングチェーンカバーやオイルパンは、エンジン本体と同様に金属で形成されていたが、車両の軽量化の要請のため、合成樹脂を使用することが検討されている。また、他の金属部材と金属部材の接合構造においても、軽量化やコストダウンのため、一方の金属部材が合成樹脂部材に置き換わり、金属部材と合成樹脂部材の接合が使用されることが増加している。
【０００４】
そして、図１０に示すように、合成樹脂部材であるタイミングチェーンカバー１１０を金属部材であるシリンダブロック４に取付ける場合には、シーラ部材１１２は、金属部材（１１０，４）とは接着強度が大きいが、合成樹脂との接着強度が低く、金属部材と合成樹脂部材をシーラ部材１１２で接合するために、合成樹脂部材とシーラ部材１１２の接合強度を向上させることが望まれていた。また、自動車用エンジン部品において、合成樹脂部材は、耐熱性を必要とするため、使用する材料に制限があった。
【０００５】
合成樹脂部材の接着力を向上させるために、合成樹脂の表面をショットブラストやサンドペーパによって表面を粗面化して、アンカー効果により接着力を向上させることが行われている（例えば、特許文献１参照。）。この場合は、樹脂部材と樹脂シート、即ち合成樹脂同士を接着するものであり、接着剤層を薄層で塗布するものであり、ペースト状で所定の肉厚を有するシーラ部材を使用するものとは異なっている。
【０００６】
また、図９に示すように、オイルパン１２０をエンジン本体に取付ける場合において、オイルパン１２０のエンジン本体との当接面１２１にオイルパンガスケット１２５を取付けて、オイルパンガスケット１２５に設けたボルト孔１２６を通過するボルト（図示せず）でエンジン本体とオイルパンガスケット１２５をボルト締めすると共に、その間のシール性を確保していた（例えば、特許文献２参照。）。この場合には、エンジン本体とオイルパンガスケット１２５はともに金属製であり、容易にボルト締め可能であった。
しかしながら、上述のように、イミングチェーンカバーやオイルパンを合成樹脂で作成する場合には、ボルト締めにおいて、合成樹脂部材の強度が問題となる。
【先行技術文献】
【特許文献】
【０００７】
【特許文献１】特開２０１０−５８４８５号公報
【特許文献２】特開２００１−２８０５００号公報
【発明の概要】
【発明が解決しようとする課題】
【０００８】
そのため、本発明は、自動車用部品において、シーラ部材を使用して、接着強度とシール性を向上させる金属部材と合成樹脂部材を接合する接合構造を提供することを課題とする。
【課題を解決するための手段】
【０００９】
上記課題を解決するための請求項１の本発明は、自動車用部品の金属部材と合成樹脂部材を接合する接合構造において、
合成樹脂部材の金属部材と当接する当接面には、金属インサートを略全周に亘り埋設し、金属インサートは合成樹脂部材の当接面から端面が露出し、金属インサートの露出面と金属部材との間にシーラ部材を塗布し、金属インサートが埋設された部分からボルトを金属部材にねじ込んで金属部材と合成樹脂部材を接合する接合構造である。
【００１０】
請求項１の本発明では、合成樹脂部材の金属部材と当接する当接面には、金属インサートを略全周に亘り埋設しているため、合成樹脂部材の金属部材と当接する当接面及び合成樹脂部材の先端部分の剛性と耐久性を向上させることができ、接合部分の接合面の寸法精度を向上させ、合成樹脂部材の割れや変形を防止して、確実に合成樹脂部材を金属部材に取付けることができる。
【００１１】
金属インサートは合成樹脂部材の当接面から端面が露出し、金属インサートの露出面と金属部材との間にシーラ部材を塗布した。このため、シーラ部材により金属インサートと金属部材との接着の強度を大きくすることができ、合成樹脂部材を金属部材に強く接合させることができる。
【００１２】
金属インサートが埋設された部分からボルトを金属部材にねじ込んで金属部材と合成樹脂部材を接合するため、ボルトを金属部材にねじ込んでも、金属インサートによりボルト閉めの荷重を分散して、合成樹脂部材が変形や破損することがなく、シーラ部材を強く挟持してシール性を確保することができる。
【００１３】
請求項２の本発明は、インサートは、合成樹脂部材の当接面に全周に連続して埋設された金属部材と合成樹脂部材を接合する接合構造である。
【００１４】
請求項２の本発明では、インサートは、合成樹脂部材の当接面に全周に連続して埋設されたため、合成樹脂部材の当接面は、剛性が大きく、熱変形することも少なく、接合面の寸法精度を向上させ、シール性を向上させることができる。また、ボルトの締め付けにおいても、当接面が金属部材に対して荷重が分散して、締め付けられ、金属部材に安定して取付けられる。
【００１５】
請求項３の本発明は、金属インサートは、合成樹脂部材の当接面に複数の切断された短片を、全周亘り間隔をおいて埋設された金属部材と合成樹脂部材を接合する接合構造である。
【００１６】
請求項３の本発明では、金属インサートは、合成樹脂部材の当接面に複数の切断された短片を、全周亘り間隔をおいて埋設されたため、金属インサートをボルト締めの必要部分やコーナー部の補強部分に埋設させて、合成樹脂部材の剛性を向上させることができる。また、金属インサートの重量を少なくして、合成樹脂部材の軽量化を図ることができるとともに、ボルトの締め付けにおいても、金属インサートが合成樹脂部材の変形や破損を防止することができる。
【００１７】
請求項４の本発明は、金属部材は、エンジンのシリンダブロック及びシリンダヘッドであり、合成樹脂部材はタイミングチェーンカバー又はオイルパンである金属部材と合成樹脂部材を接合する接合構造である。
【００１８】
請求項４の本発明では、金属部材は、エンジンのシリンダブロック及びシリンダヘッドであり、合成樹脂部材はタイミングチェーンカバー又はオイルパンである。タイミングチェーンカバー又はオイルパンを合成樹脂で形成したため、エンジンを軽量化することができる。タイミングチェーンカバー又はオイルパンに金属インサートを埋設したため、シリンダブロック及びシリンダヘッドとタイミングチェーンカバー又はオイルパンを強固にボルトでネジ込み、シーラ部材を強く挟持することができるとともに、エンジンの熱でシーラ部材やタイミングチェーンカバーやオイルパンが劣化することがない。
【００１９】
請求項５の本発明は、金属インサートは、表面を凹凸模様、シボ模様、酸化皮膜処理又は発泡状態である金属部材と合成樹脂部材を接合する接合構造である。
【００２０】
請求項５の本発明では、金属インサートは、表面を凹凸模様、シボ模様、酸化皮膜処理又は発泡状態であるため、合成樹脂部材に埋設されると、金属インサートは合成樹脂部材との接着面積が増加し、或いは接着強度が増加して、アンカー効果等により金属インサートと合成樹脂部材の接着強度が増大することができる。
【００２１】
請求項６の本発明は、金属インサートは、合成樹脂部材の当接面に露出した部分よりも、合成樹脂部材に埋設された部分が大きい金属部材と合成樹脂部材を接合する接合構造である。
【００２２】
請求項６の本発明では、金属インサートは、合成樹脂部材の当接面に露出した部分よりも、合成樹脂部材に埋設された部分が大きいため、いわゆるアンカー効果により、金属インサートが合成樹脂部材に埋設された部分が、強く保持されて、金属インサートが合成樹脂部材から外れることがない。
【００２３】
請求項７の本発明は、金属インサートの合成樹脂部材に埋設された表面に接着剤層が形成された金属部材と合成樹脂部材を接合する接合構造である。
【００２４】
請求項７の本発明では、金属インサートの合成樹脂部材に埋設された表面に接着剤層が形成されたため、接着剤層により金属インサートは合成樹脂部材と強く接着され、強く合成樹脂部材内で保持される。
【００２５】
請求項８の本発明は、金属部材及び金属インサートは、アルミニウム製、鉄製又はステンレススチール製であり、合成樹脂部材はエンジニアリングプラスチック製であり、シーラ部材は、シリコーンゴム系のペースト状である金属部材と合成樹脂部材を接合する接合構造である。
【００２６】
請求項８の本発明では、金属部材及び金属インサートは、アルミニウム製、鉄製又はステンレススチール製であり、合成樹脂部材はエンジニアリングプラスチック製であり、シーラ部材は、シリコーンゴム系のペースト状である。金属部材及び金属インサートは、アルミニウム製、鉄製又はステンレススチール製のため、シーラ部材との接合力が大きく、剛性と耐熱性が高い。合成樹脂部材はエンジニアリングプラスチック製のため、成形が容易であるとともに、耐熱性、耐久性、剛性に優れた製品を得ることができる。
シーラ部材は、シリコーンゴム系のペースト状であるため、接着強度が大きく、耐熱性、耐久性に優れた製品を得ることができるとともに、重量を軽減して、軽量化を達成することができる。
【発明の効果】
【００２７】
合成樹脂部材の金属部材と当接する当接面には、金属インサートを略全周に亘り埋設しているため、合成樹脂部材の金属部材と当接する当接面及び合成樹脂部材の先端部分の剛性と耐久性を向上させることができる。
金属インサートは合成樹脂部材の当接面から端面が露出し、金属インサートの露出面と金属部材との間にシーラ部材を塗布したため、シーラ部材により金属インサートと金属部材との接着の強度を大きくすることができる。
金属インサートが埋設された部分からボルトを金属部材にねじ込んで金属部材と合成樹脂部材を接合するため、ボルトを金属部材にねじ込んでも合成樹脂部材が変形や破損することがなく、シーラ部材を強く挟持してシール性を確保することができる。
【図面の簡単な説明】
【００２８】
【図１】本発明の実施の形態で使用する自動車用エンジンの側面図である。
【図２】本発明の実施の形態で使用するタイミングチェーンカバーのシリンダブロックとの当接面に金属インサートを埋設した状態の平面図である。
【図３】本発明の実施の形態で使用するオイルパンのシリンダブロックとの当接面に金属インサートを埋設した状態の平面図である。
【図４】本発明の他の実施の形態で使用するオイルパンのシリンダブロックとの当接面に金属インサートを埋設した状態の平面図である。
【図５】本発明の実施の形態であるタイミングチェーンカバーとシリンダブロックとの当接状態の断面図である。
【図６】本発明の実施の形態であるタイミングチェーンカバーとシリンダブロックとの当接部分の部分拡大断面図である。
【図７】本発明の他の実施の形態であるタイミングチェーンカバーとシリンダブロックとの当接部分の部分拡大断面図である。
【図８】本発明の実施の形態において、合成樹脂部材とシーラ部材との接着強度と金属部材とシーラ部材との接着強度を示すグラフである。
【図９】従来の合成樹脂部材と金属部材の接合部分の拡大断面図である。
【図１０】従来のオイルパンのシリンダブロックとの当接面の部分拡大平面部である。
【発明を実施するための形態】
【００２９】
本発明の実施の形態について、シーラ部材を使用して、自動車のエンジン１のダイキャスト製のシリンダヘッドカバー２とシリンダヘッド３に、合成樹脂製のタイミングチェーンカバー１０とオイルパン２０を接続する場合を例にとり、図１〜図８に基づき、自動車用エンジン部品においてシーラ部材を使用して金属部材と合成樹脂部材を接合する接続構造について説明する。
なお、本発明のシーラ部材を使用した金属部材と合成樹脂部材の接続構造は、上記以外にも、他の自動車用エンジン部品における金属部材と合成樹脂部材を接合する場合にも使用することができる。
【００３０】
図１は、自動車のエンジン１における側面図であり、エンジン１は、シリンダヘッドカバー２と、その下にシリンダヘッド３と、さらにその下に、シリンダブロック４が一体的に組み立てられている。シリンダヘッド３の内部には、吸気カムプーリ７と排気カムプーリ８が取付けられている。
【００３１】
シリンダブロック４にはクランクプーリ６が設けられて、吸気カムプーリ７と排気カムプーリ８の先端に取付けられたギヤとクランクプーリ６の先端に取付けられたギヤにタイミングチェーン５が掛けられている。クランクプーリ６は、エンジンピストンが取付けられたクランクシャフト９と連結されている。
このシリンダヘッドカバー２、シリンダヘッド３及びシリンダブロック４は、鉄（鋳鉄）アルミニウム、マグネシウム、ステンレススチール、或いはこれらを含む合金で形成されている。
【００３２】
タイミングチェーンカバー１０は、タイミングチェーン５が取付けられたシリンダヘッド３及びシリンダブロック４の側面を覆うように取付けられている。
図１と図２に示すように、タイミングチェーンカバー１０は、外周面がシリンダヘッド３及びシリンダブロック４の外周部に当接するように当接面１１を形成している。これにより、タイミングチェーンカバー１０でタイミングチェーン５を完全に覆い、シールすることができる。当接面１１には、後述するように表面に金属インサート１３が埋設されて、シーラ部材であるシーラ１２が塗布されている。
【００３３】
タイミングチェーンカバー１０は、耐熱性の合成樹脂で形成されている。このため、エンジン１の重量を低減させることができるとともに、エンジンの熱により変形や劣化をすることが少ない。
耐熱性の合成樹脂として、エンジニアリングプラスチックを使用し、例えばポリアミド樹脂であるナイロン６６、ナイロン６、ナイロン１１、ナイロン１２等及びポリプロピレン、ポリアセタール、ポリカーボネート等を使用することができる。合成樹脂は、ホモポリマーでも、２種以上のコポリマーでもよい。
【００３４】
ポリアミド樹脂及び他の合成樹脂においても、無機充填剤を使用することができる。無機充填剤として、例えばガラス繊維やカーボン繊維等の繊維状充填剤や、タルク、マイカ、炭酸カルシウム、シリカ等の粉末状充填剤を使用することができる。無機充填剤を使用すると、耐熱性や剛性を向上させることができる。ガラス繊維やカーボン繊維等の繊維状充填剤を使用すると耐衝撃性や弾力性が向上する。
【００３５】
図１と図２に示すように、オイルパン２０は、シリンダブロック４の下面に取付けられている。オイルパン２０はオイルを貯油できるように凹んで形成され、外周部は、シリンダブロック４の下面に当接するように当接面２１が形成されている。当接面２１には、タイミングチェーンカバー１０と同様に表面に金属インサート１３が埋設されて、シーラ２２が塗布されている。
オイルパン２０も上記と同様の耐熱性の合成樹脂を使用することができ、無機充填剤を使用することができる。
【００３６】
シーラ部材であるシーラ１２、２２は、ペースト状の粘性の高いシリコーンゴム系の材料で形成されている。このシーラ１２、２２は、例えばＦＩＰＧ（Formed  In  Place  Gasket）と呼ばれるガスケットが使用される。
ＦＩＰＧのシーラ１２、２２を使用して、合成樹脂（ナイロン６６）と金属（鉄）とのそれぞれの接着強度（せん断強度：ＭＰａ）を比較したものを図８に示す。図８に示すように、ＦＩＰＧは金属との接着強度の方が合成樹脂との接着強度よりも非常に大きいため、後述する金属インサート１３を埋設してシリンダブロック４と接着すると、大きな接着力を得ることができる。
【００３７】
シーラ１２、２２は、タイミングチェーンカバー１０やオイルパン２０に塗布するときは、粘性を有するため、すぐに垂れることがなく、塗布後には弾性を有して固まることができる。このため、タイミングチェーンカバー１０やオイルパン２０とシリンダブロック４の間をシールして、オイルが外部に漏出することを防止できる。
シーラ部材であるシーラ１２、２２は、例えばシリコーンゴム系の他に、ブチルゴム、ポリウレタン、クロロプレンゴム、ニトリルゴム等のゴム系の材料を使用することができる。
【００３８】
次に、合成樹脂部材であるタイミングチェーンカバー１０とオイルパン２０の当接面１１、２１に埋設された金属インサート１３、２３について説明する。
まず、図２に基づき本願発明の第１の実施の形態であるタイミングチェーンカバー１０に金属インサート１３を埋設した状態を説明する。
【００３９】
図２は、タイミングチェーンカバー１０をシリンダブロック４との当接面１１側からみた平面図であり、図５は、タイミングチェーンカバー１０とシリンダブロック４の接合部分の断面図である。
タイミングチェーンカバー１０の当接面１１には金属インサート１３が埋設されて、金属インサート１３は、タイミングチェーンカバー１０の当接面１１からシリンダブロック４やシリンダヘッド３と対向する端面が露出している。
【００４０】
この金属インサート１３の端面にシーラ部材であるシーラ１２が塗布されて、金属部品であるシリンダブロック４やシリンダヘッド３とタイミングチェーンカバー１０とを接着している。このため、シーラ１２により金属インサート１３とシリンダブロック４やシリンダヘッド３とタイミングチェーンカバー１０との接着の強度を大きくすることができ、金属インサート１３とシリンダブロック４やシリンダヘッド３に強く保持させることができる。
【００４１】
そして、図６と図７に示すように、タイミングチェーンカバー１０の金属インサート１３が埋設された部分からボルト１４をシリンダブロック４やシリンダヘッド３にねじ込んでシリンダブロック４やシリンダヘッド３とタイミングチェーンカバー１０を接合する。このため、ボルト１４をシリンダブロック４やシリンダヘッド３にねじ込んでも金属インサート１３により、タイミングチェーンカバー１０が変形や破損することがなく、シーラ１２を強く挟持してシール性を確保することができる。
なお、ボルト１４は、図６と図７に示すように、シーラ１２と接触するようにしてもよく、或いは、シーラ１２と接触しないように離してねじ込んでもよい。
【００４２】
タイミングチェーンカバー１０とシリンダブロック４の接合部分では、金属インサート１３は、図６に示すように、タイミングチェーンカバー１０の当接面１１に全周に連続して埋設されている。金属インサート１３は、金属の平板状で、且つ環状に形成されて、タイミングチェーンカバー１０の当接面１１にその端面が露出している。
【００４３】
このため、タイミングチェーンカバー１０の当接面１１は、全周に亘り金属インサート１３で補強されて、剛性が大きく、熱変形することも少ない。全周に亘り金属インサート１３が埋設されているため、当接面１１の面精度が向上して、タイミングチェーンカバー１０とシリンダブロック４の接合部分のシール性を向上させることができる。
【００４４】
また、ボルト１４の締め付けにおいても、金属インサート１３により締め付け力が分散し、当接面１１がシリンダブロック４やシリンダヘッド３に対して一体的に締め付けられ、当接面１１に局部的に歪が生じることなく安定して取付けられる。また、ボルト１４の締め付け時に、当接面１１が破損することを防止できる。
【００４５】
金属インサート１３の他の実施の形態では、図７に示すように、金属インサート１３は、タイミングチェーンカバー１０の当接面が露出した部分よりも、タイミングチェーンカバー１０内に埋設された部分が大きく形成されている。即ち、断面形状は、Ｔ字形に形成され、Ｔ字形の頭の部分はタイミングチェーンカバー１０内に埋設され、Ｔ字形の足の部分（足は短く形成されている。）はその端部が当接面１１に露出している。
【００４６】
このため、いわゆるアンカー効果により、金属インサート１３のタイミングチェーンカバー１０に埋設されたＴ字形の頭の部分が、強く保持されて、金属インサート１３がタイミングチェーンカバー１０から外れることがない。
なお、金属インサート１３は、後述するように、タイミングチェーンカバー１０の当接面１１に連続的に埋設されるのではなく、小片に切断された金属インサート１３を当接面１１に沿って並べて埋設することもできる。
【００４７】
金属インサート１３は、鉄（鋳鉄）、アルミニウム、マグネシウム、ステンレススチール、或いはこれらを含む合金で形成されている。
金属インサート１３は、表面を凹凸模様、シボ模様、酸化被膜処理又は発泡状態で形成することができる。金属インサート１３の表面に凹凸模様やシボ模様を形成すると、金属インサートとタイミングチェーンカバー１０の合成樹脂との接着面積が増加して、金属部材と合成樹脂部材の接着強度が増大することができる。
【００４８】
また、金属インサート１３を発泡金属で形成すると、金属の気泡部分にタイミングチェーンカバー１０の合成樹脂が進入して、アンカー効果により金属インサート１３とタイミングチェーンカバー１０の接着強度が増大することができる。
金属インサート１３をアルミニウムで形成した場合には、アルミニウムの表面を酸化被膜処理すると、タイミングチェーンカバー１０の合成樹脂との接着強度を向上させることができる。
【００４９】
金属インサート１３の表面のタイミングチェーンカバー１０に埋設される部分に、接着剤を塗布することができる。この場合には、金属インサート１３の表面に接着剤層が形成されるため、接着剤層により金属インサート１３はタイミングチェーンカバー１０の合成樹脂部分と強く接着され、強くタイミングチェーンカバー１０内で安定して保持される。
【００５０】
次に、図３と図４に基づきオイルパン２０に金属インサート２３を埋設した実施の形態について説明する。
図３は、オイルパン２０をシリンダブロック４との当接面２１側からみた平面図であり、オイルパン２０とシリンダブロック４の接合部分の断面形状は、タイミングチェーンカバー１０の図５及び図６と略同様である。
【００５１】
オイルパン２０の当接面２１には金属インサート２３が埋設されて、金属インサート２３は、オイルパン２０の当接面２１からシリンダブロック４と対向する端面が露出している。この金属インサート２３の端面にシーラ部材であるシーラ２２が塗布されて、金属部品であるシリンダブロック４とオイルパン２０とを接着している。このため、シーラ２２により金属インサート２３とシリンダブロック４とオイルパン２０との接着の強度を大きくすることができ、金属インサート２３とシリンダブロック４に強く保持させることができる。
【００５２】
そして、図６と図７に示すように、オイルパン２０の金属インサート２３が埋設された部分からボルト２４をシリンダブロック４にねじ込んでシリンダブロック４とオイルパン２０を接合する。このため、ボルト２４をシリンダブロック４ねじ込んでも金属インサート２３により、オイルパン２０が変形や破損することがなく、シーラ２２を強く挟持してシール性を確保することができる。
オイルパン２０の金属インサート２３も、タイミングチェーンカバー１０の金属インサート１３と同様に、図７に示すような断面構造を有する戸余ができる。
【００５３】
オイルパン２０とシリンダブロック４の接合部分では、金属インサート２３は、図３に示すように、平板状の金属板をオイルパン２０の当接面２１に全周に連続して埋設されている。このため、オイルパン２０の当接面２１は、全周に亘り金属インサート１３で補強されて、剛性が大きく、熱変形することも少ない。また、ボルト２４の締め付けにおいても、金属インサート２３により締め付け荷重が分散し、当接面２１がシリンダブロック４に対して一体的に締め付けられ、当接面２１に局部的に歪が生じることなく安定して取付けられる。
【００５４】
なお、図４に示すように、金属インサート２３は、タイミングチェーンカバー１０と同様に、オイルパン２０の当接面２１に連続的に埋設されるのではなく、小片に切断された金属インサート２３を当接面２１に沿って並べて埋設することもできる。この場合には、金属インサート２３の重量を低減して、オイルパン２０を軽量化することができるとともに、図７に示す、金属インサート１３の断面Ｔ字形に形成することが容易である。
【符号の説明】
【００５５】
１  エンジン
２  シリンダヘッドカバー
３  シリンダヘッド
４  シリンダブロック
１０  タイミングチェーンカバー
１１、２１  当接面
１２、２２  シーラ
１３、２３  金属インサート
１４、２４  ボルト
２０  オイルパン  
【図１】
2013061006.tif 000003
【図２】
2013061006.tif 000004
【図３】
2013061006.tif 000005
【図４】
2013061006.tif 000006
【図５】
2013061006.tif 000007
【図６】
2013061006.tif 000008
【図７】
2013061006.tif 000009
【図８】
2013061006.tif 000010
【図９】
2013061006.tif 000011
【図１０】
2013061006.tif 000012